【手続補正書】
【提出日】平成16年12月9日(2004.12.9)
【手続補正１】
【補正対象書類名】明細書
【補正対象項目名】発明の名称
【補正方法】変更
【補正の内容】
【発明の名称】撮像装置、画像表示方法及び記憶媒体
【手続補正２】
【補正対象書類名】明細書
【補正対象項目名】特許請求の範囲
【補正方法】変更
【補正の内容】
【特許請求の範囲】
【請求項１】
複数の撮像手段を備えた撮像装置であって、
ワイド画面を有する表示手段と、前記複数の撮像手段で撮影された複数の画像を合成してパノラマ画像を生成するパノラマ画像生成手段と、前記パノラマ画像を前記ワイド画面上に表示する表示制御手段とを備えたことを特徴とする撮像装置。
【請求項２】
前記パノラマ画像生成手段は、前記表示手段の前記ワイド画面のアスペクト比に合わせて画像を表示するための間引き処理や補間処理を行う機能を有することを特徴とする請求項１記載の撮像装置。
【請求項３】
前記パノラマ画像生成手段は、前記表示手段の前記ワイド画面上の一部に表示可能なように、前記複数の撮像手段で撮影された複数の画像を合成してパノラマ画像を生成し、前記表示制御手段は、前記パノラマ画像を前記ワイド画面上に表示することを特徴とする請求項１又は２記載の撮像装置。
【請求項４】
前記パノラマ画像生成手段は、前記表示手段の前記ワイド画面上の一部に表示可能なように、前記複数の撮像手段で撮影された複数の画像を縮小し横並びになるように合成してパノラマ画像を生成し、前記表示制御手段は、前記パノラマ画像を前記ワイド画面上に表示することを特徴とする請求項３記載の撮像装置。
【請求項５】
前記パノラマ画像生成手段は、前記表示手段の前記ワイド画面上に表示可能なように、前記複数の撮像手段で撮影された複数の画像を垂直方向は変更せず水平方向は画面最大限に引き伸ばし合成してパノラマ画像を生成し、前記表示制御手段は、前記パノラマ画像を前記ワイド画面上に表示することを特徴とする請求項１又は２記載の撮像装置。
【請求項６】
前記パノラマ画像生成手段は、前記表示手段の前記ワイド画面上に表示可能なように、前記複数の撮像手段で撮影された複数の画像を垂直方向は変更せず画面中央付近では映像そのままのサイズで画面端部にくるに従って水平方向へ引き伸ばし合成してパノラマ画像を生成し、前記表示制御手段は、前記パノラマ画像を前記ワイド画面上に表示することを特徴とする請求項１又は２記載の撮像装置。
【請求項７】
前記パノラマ画像生成手段は、前記表示手段の前記ワイド画面上に表示可能なように、前記複数の撮像手段のうち一方の撮像手段で撮影された画像をアスペクト比概略３：４を保持したまま縮小し、他方の撮像手段で撮影された画像と合成してパノラマ画像を生成し、前記表示制御手段は、前記パノラマ画像を前記ワイド画面上に表示することを特徴とする請求項１又は２記載の撮像装置。
【請求項８】
前記パノラマ画像生成手段は、前記表示手段の前記ワイド画面上に表示可能なように、前記複数の撮像手段で撮影された複数の画像を一旦縮小した後、水平方向へ所定量だけ重複すると共に垂直方向へ所定量だけ重複しないように合成してパノラマ画像を生成し、前記表示制御手段は、前記パノラマ画像を前記ワイド画面上に表示することを特徴とする請求項１又は２記載の撮像装置。
【請求項９】
複数の撮像手段を備えた撮像装置であって、
ワイド画面を有する表示手段と、前記複数の撮像手段で撮影された複数の画像を合成して立体画像を生成する立体画像生成手段と、前記立体画像を前記ワイド画面上に表示する表示制御手段とを備えたことを特徴とする撮像装置。
【請求項１０】
前記立体画像生成手段は、前記表示手段の前記ワイド画面のアスペクト比に合わせて画像を表示するための間引き処理や補間処理を行う機能を有することを特徴とする請求項９記載の撮像装置。
【請求項１１】
前記立体画像生成手段は、前記表示手段の前記ワイド画面上に表示可能なように、３：４のアスペクト比の画像を生成することを特徴とする請求項９記載の撮像装置。
【請求項１２】
前記立体画像生成手段は、前記表示手段の前記ワイド画面上に表示可能なように、前記複数の撮像手段で撮影された複数の画像を垂直方向は変更せず水平方向は画面最大限に引き伸ばし合成して立体画像を生成し、前記表示制御手段は、前記立体画像を前記ワイド画面上に表示することを特徴とする請求項９乃至１１の何れかに記載の撮像装置。
【請求項１３】
前記立体画像生成手段は、前記表示手段の前記ワイド画面上に表示可能なように、前記複数の撮像手段で撮影された複数の画像を垂直方向は変更せず画面中央付近ではアスペクト比３：４の映像そのままのサイズで画面端部にくるに従って水平方向へ引き伸ばし合成して立体画像を生成し、前記表示制御手段は、前記立体画像を前記ワイド画面上に表示することを特徴とする請求項９乃至１１の何れかに記載の撮像装置。
【請求項１４】
複数の撮像手段を備えた撮像装置であって、
ワイド画面を有する表示手段と、前記複数の撮像手段で撮影された複数の画像を合成してパノラマ画像を生成するパノラマ画像生成手段と、前記複数の撮像手段で撮影された複数の画像を合成して立体画像を生成する立体画像生成手段と、外部からの選択に基づき前記パノラマ画像或いは前記立体画像を前記ワイド画面上に表示する表示制御手段とを備えたことを特徴とする撮像装置。
【請求項１５】
複数の撮像手段を備えた撮像装置で実行される画像表示方法であって、
前記複数の撮像手段で撮影された複数の画像を合成してパノラマ画像或いは立体画像を生成し、前記パノラマ画像或いは前記立体画像を表示手段のワイド画面上に表示することを特徴とする画像表示方法。
【請求項１６】
前記表示手段の前記ワイド画面のアスペクト比に合わせて画像を表示するための間引き処理や補間処理を行うことを特徴とする請求項１５記載の画像表示方法。
【請求項１７】
前記表示手段の前記ワイド画面上の一部に表示可能なように、前記複数の撮像手段で撮影された複数の画像を合成してパノラマ画像を生成し、前記パノラマ画像を前記ワイド画面上に表示することを特徴とする請求項１５又は１６記載の画像表示方法。
【請求項１８】
前記表示手段の前記ワイド画面上の一部に表示可能なように、前記複数の撮像手段で撮影された複数の画像を縮小し横並びになるように合成してパノラマ画像を生成し、前記パノラマ画像を前記ワイド画面上に表示することを特徴とする請求項１７記載の画像表示方法。
【請求項１９】
前記表示手段の前記ワイド画面上に表示可能なように、前記複数の撮像手段で撮影された複数の画像を垂直方向は変更せず水平方向は画面最大限に引き伸ばし合成してパノラマ画像或いは立体画像を生成し、前記パノラマ画像或いは前記立体画像を前記ワイド画面上に表示することを特徴とする請求項１５又は１６記載の画像表示方法。
【請求項２０】
前記表示手段の前記ワイド画面上に表示可能なように、前記複数の撮像手段で撮影された複数の画像を垂直方向は変更せず画面中央付近では映像そのままのサイズで画面端部にくるに従って水平方向へ引き伸ばし合成してパノラマ画像或いは立体画像を生成し、前記パノラマ画像或いは前記立体画像を前記ワイド画面上に表示することを特徴とする請求項１５又は１６記載の画像表示方法。
【請求項２１】
前記表示手段の前記ワイド画面上に表示可能なように、前記複数の撮像手段のうち一方の撮像手段で撮影された画像をアスペクト比概略３：４を保持したまま縮小し、他方の撮像手段で撮影された画像と合成してパノラマ画像を生成し、前記パノラマ画像を前記ワイド画面上に表示することを特徴とする請求項１５又は１６記載の画像表示方法。
【請求項２２】
前記表示手段の前記ワイド画面上に表示可能なように、前記複数の撮像手段で撮影された複数の画像を一旦縮小した後、水平方向へ所定量だけ重複すると共に垂直方向へ所定量だけ重複しないように合成してパノラマ画像を生成し、前記パノラマ画像を前記ワイド画面上に表示することを特徴とする請求項１５又は１６記載の画像表示方法。
【請求項２３】
複数の撮像手段を備えた撮像装置で実行される画像表示方法であって、
前記複数の撮像手段で撮影された複数の画像を合成してパノラマ画像を生成し、前記複数の撮像手段で撮影された複数の画像を合成して立体画像を生成し、外部からの選択に基づき前記パノラマ画像或いは前記立体画像を表示手段のワイド画面上に表示することを特徴とする画像表示方法。
【請求項２４】
前記請求項１５乃至２３に記載の画像表示方法を実行するプログラムを記憶したコンピュータにより読み出し可能な記憶媒体。
【手続補正３】
【補正対象書類名】明細書
【補正対象項目名】０００１
【補正方法】変更
【補正の内容】
【０００１】
【発明の属する技術分野】
本発明は、撮像装置、画像表示方法及び記憶媒体に関し、特に、パノラマ映像の撮影・表示を行う場合や、立体映像及び２次元映像の撮影・表示を行う場合に好適な撮像装置、画像表示方法及び記憶媒体に関する。
【手続補正４】
【補正対象書類名】明細書
【補正対象項目名】０００５
【補正方法】変更
【補正の内容】
【０００５】
本発明は、上述した点に鑑みなされたものであり、パノラマ映像を撮影すると共に、ワイド画面のディスプレイにおいてパノラマ画像を観察することを可能とし、立体感を確認しながら撮影することを可能とした撮像装置、画像表示方法及び記憶媒体を提供することを第一の目的とする。
【手続補正５】
【補正対象書類名】明細書
【補正対象項目名】０００６
【補正方法】変更
【補正の内容】
【０００６】
また、本発明は、上述した点に鑑みなされたものであり、立体映像を撮影すると共に、ワイド画面の立体ディスプレイにおいて立体画像を観察することを可能とし、立体感を確認しながら撮影することを可能とした撮像装置、画像表示方法及び記憶媒体を提供することを第二の目的とする。
【手続補正６】
【補正対象書類名】明細書
【補正対象項目名】０００８
【補正方法】変更
【補正の内容】
【０００８】
上記目的を達成するため、請求項２記載の発明は、前記パノラマ画像生成手段は、前記表示手段の前記ワイド画面のアスペクト比に合わせて画像を表示するための間引き処理や補間処理を行う機能を有することを特徴とする。
【手続補正７】
【補正対象書類名】明細書
【補正対象項目名】０００９
【補正方法】変更
【補正の内容】
【０００９】
上記目的を達成するため、請求項３記載の発明は、前記パノラマ画像生成手段は、前記表示手段の前記ワイド画面上の一部に表示可能なように、前記複数の撮像手段で撮影された複数の画像を合成してパノラマ画像を生成し、前記表示制御手段は、前記パノラマ画像を前記ワイド画面上に表示することを特徴とする。
【手続補正８】
【補正対象書類名】明細書
【補正対象項目名】００１０
【補正方法】変更
【補正の内容】
【００１０】
上記目的を達成するため、請求項４記載の発明は、前記パノラマ画像生成手段は、前記表示手段の前記ワイド画面上の一部に表示可能なように、前記複数の撮像手段で撮影された複数の画像を縮小し横並びになるように合成してパノラマ画像を生成し、前記表示制御手段は、前記パノラマ画像を前記ワイド画面上に表示することを特徴とする。
【手続補正９】
【補正対象書類名】明細書
【補正対象項目名】００１１
【補正方法】変更
【補正の内容】
【００１１】
上記目的を達成するため、請求項５記載の発明は、前記パノラマ画像生成手段は、前記表示手段の前記ワイド画面上に表示可能なように、前記複数の撮像手段で撮影された複数の画像を垂直方向は変更せず水平方向は画面最大限に引き伸ばし合成してパノラマ画像を生成し、前記表示制御手段は、前記パノラマ画像を前記ワイド画面上に表示することを特徴とする。
【手続補正１０】
【補正対象書類名】明細書
【補正対象項目名】００１２
【補正方法】変更
【補正の内容】
【００１２】
上記目的を達成するため、請求項６記載の発明は、前記パノラマ画像生成手段は、前記表示手段の前記ワイド画面上に表示可能なように、前記複数の撮像手段で撮影された複数の画像を垂直方向は変更せず画面中央付近では映像そのままのサイズで画面端部にくるに従って水平方向へ引き伸ばし合成してパノラマ画像を生成し、前記表示制御手段は、前記パノラマ画像を前記ワイド画面上に表示することを特徴とする。
【手続補正１１】
【補正対象書類名】明細書
【補正対象項目名】００１３
【補正方法】変更
【補正の内容】
【００１３】
上記目的を達成するため、請求項７記載の発明は、前記パノラマ画像生成手段は、前記表示手段の前記ワイド画面上に表示可能なように、前記複数の撮像手段のうち一方の撮像手段で撮影された画像をアスペクト比概略３：４を保持したまま縮小し、他方の撮像手段で撮影された画像と合成してパノラマ画像を生成し、前記表示制御手段は、前記パノラマ画像を前記ワイド画面上に表示することを特徴とする。
【手続補正１２】
【補正対象書類名】明細書
【補正対象項目名】００１４
【補正方法】変更
【補正の内容】
【００１４】
上記目的を達成するため、請求項８記載の発明は、前記パノラマ画像生成手段は、前記表示手段の前記ワイド画面上に表示可能なように、前記複数の撮像手段で撮影された複数の画像を一旦縮小した後、水平方向へ所定量だけ重複すると共に垂直方向へ所定量だけ重複しないように合成してパノラマ画像を生成し、前記表示制御手段は、前記パノラマ画像を前記ワイド画面上に表示することを特徴とする。
【手続補正１３】
【補正対象書類名】明細書
【補正対象項目名】００１５
【補正方法】変更
【補正の内容】
【００１５】
上記目的を達成するため、請求項９記載の発明は、複数の撮像手段を備えた撮像装置であって、ワイド画面を有する表示手段と、前記複数の撮像手段で撮影された複数の画像を合成して立体画像を生成する立体画像生成手段と、前記立体画像を前記ワイド画面上に表示する表示制御手段とを備えたことを特徴とする。
【手続補正１４】
【補正対象書類名】明細書
【補正対象項目名】００１６
【補正方法】変更
【補正の内容】
【００１６】
上記目的を達成するため、請求項１０記載の発明は、前記立体画像生成手段は、前記表示手段の前記ワイド画面のアスペクト比に合わせて画像を表示するための間引き処理や補間処理を行う機能を有することを特徴とする。
【手続補正１５】
【補正対象書類名】明細書
【補正対象項目名】００１７
【補正方法】変更
【補正の内容】
【００１７】
上記目的を達成するため、請求項１１記載の発明は、前記立体画像生成手段は、前記表示手段の前記ワイド画面上に表示可能なように、３：４のアスペクト比の画像を生成することを特徴とする。
【手続補正１６】
【補正対象書類名】明細書
【補正対象項目名】００１８
【補正方法】変更
【補正の内容】
【００１８】
上記目的を達成するため、請求項１２記載の発明は、前記立体画像生成手段は、前記表示手段の前記ワイド画面上に表示可能なように、前記複数の撮像手段で撮影された複数の画像を垂直方向は変更せず水平方向は画面最大限に引き伸ばし合成して立体画像を生成し、前記表示制御手段は、前記立体画像を前記ワイド画面上に表示することを特徴とする。
【手続補正１７】
【補正対象書類名】明細書
【補正対象項目名】００１９
【補正方法】変更
【補正の内容】
【００１９】
上記目的を達成するため、請求項１３記載の発明は、前記立体画像生成手段は、前記表示手段の前記ワイド画面上に表示可能なように、前記複数の撮像手段で撮影された複数の画像を垂直方向は変更せず画面中央付近ではアスペクト比３：４の映像そのままのサイズで画面端部にくるに従って水平方向へ引き伸ばし合成して立体画像を生成し、前記表示制御手段は、前記立体画像を前記ワイド画面上に表示することを特徴とする。
【手続補正１８】
【補正対象書類名】明細書
【補正対象項目名】００２０
【補正方法】変更
【補正の内容】
【００２０】
上記目的を達成するため、請求項１４記載の発明は、複数の撮像手段を備えた撮像装置であって、ワイド画面を有する表示手段と、前記複数の撮像手段で撮影された複数の画像を合成してパノラマ画像を生成するパノラマ画像生成手段と、前記複数の撮像手段で撮影された複数の画像を合成して立体画像を生成する立体画像生成手段と、外部からの選択に基づき前記パノラマ画像或いは前記立体画像を前記ワイド画面上に表示する表示制御手段とを備えたことを特徴とする。
【手続補正１９】
【補正対象書類名】明細書
【補正対象項目名】００２１
【補正方法】変更
【補正の内容】
【００２１】
上記目的を達成するため、請求項１５記載の発明は、複数の撮像手段を備えた撮像装置で実行される画像表示方法であって、前記複数の撮像手段で撮影された複数の画像を合成してパノラマ画像或いは立体画像を生成し、前記パノラマ画像或いは前記立体画像を表示手段のワイド画面上に表示することを特徴とする。
【手続補正２０】
【補正対象書類名】明細書
【補正対象項目名】００２２
【補正方法】変更
【補正の内容】
【００２２】
上記目的を達成するため、請求項１６記載の発明は、前記表示手段の前記ワイド画面のアスペクト比に合わせて画像を表示するための間引き処理や補間処理を行うことを特徴とする。
【手続補正２１】
【補正対象書類名】明細書
【補正対象項目名】００２３
【補正方法】変更
【補正の内容】
【００２３】
上記目的を達成するため、請求項１７記載の発明は、前記表示手段の前記ワイド画面上の一部に表示可能なように、前記複数の撮像手段で撮影された複数の画像を合成してパノラマ画像を生成し、前記パノラマ画像を前記ワイド画面上に表示することを特徴とする。
【手続補正２２】
【補正対象書類名】明細書
【補正対象項目名】００２４
【補正方法】変更
【補正の内容】
【００２４】
上記目的を達成するため、請求項１８記載の発明は、前記表示手段の前記ワイド画面上の一部に表示可能なように、前記複数の撮像手段で撮影された複数の画像を縮小し横並びになるように合成してパノラマ画像を生成し、前記パノラマ画像を前記ワイド画面上に表示することを特徴とする。
【手続補正２３】
【補正対象書類名】明細書
【補正対象項目名】００２５
【補正方法】変更
【補正の内容】
【００２５】
上記目的を達成するため、請求項１９記載の発明は、前記表示手段の前記ワイド画面上に表示可能なように、前記複数の撮像手段で撮影された複数の画像を垂直方向は変更せず水平方向は画面最大限に引き伸ばし合成してパノラマ画像或いは立体画像を生成し、前記パノラマ画像或いは前記立体画像を前記ワイド画面上に表示することを特徴とする。
【手続補正２４】
【補正対象書類名】明細書
【補正対象項目名】００２６
【補正方法】変更
【補正の内容】
【００２６】
上記目的を達成するため、請求項２０記載の発明は、前記表示手段の前記ワイド画面上に表示可能なように、前記複数の撮像手段で撮影された複数の画像を垂直方向は変更せず画面中央付近では映像そのままのサイズで画面端部にくるに従って水平方向へ引き伸ばし合成してパノラマ画像或いは立体画像を生成し、前記パノラマ画像或いは前記立体画像を前記ワイド画面上に表示することを特徴とする。
【手続補正２５】
【補正対象書類名】明細書
【補正対象項目名】００２７
【補正方法】変更
【補正の内容】
【００２７】
上記目的を達成するため、請求項２１記載の発明は、前記表示手段の前記ワイド画面上に表示可能なように、前記複数の撮像手段のうち一方の撮像手段で撮影された画像をアスペクト比概略３：４を保持したまま縮小し、他方の撮像手段で撮影された画像と合成してパノラマ画像を生成し、前記パノラマ画像を前記ワイド画面上に表示することを特徴とする。
【手続補正２６】
【補正対象書類名】明細書
【補正対象項目名】００２８
【補正方法】変更
【補正の内容】
【００２８】
上記目的を達成するため、請求項２２記載の発明は、前記表示手段の前記ワイド画面上に表示可能なように、前記複数の撮像手段で撮影された複数の画像を一旦縮小した後、水平方向へ所定量だけ重複すると共に垂直方向へ所定量だけ重複しないように合成してパノラマ画像を生成し、前記パノラマ画像を前記ワイド画面上に表示することを特徴とする。
【手続補正２７】
【補正対象書類名】明細書
【補正対象項目名】００２９
【補正方法】変更
【補正の内容】
【００２９】
上記目的を達成するため、請求項２３記載の発明は、複数の撮像手段を備えた撮像装置で実行される画像表示方法であって、前記複数の撮像手段で撮影された複数の画像を合成してパノラマ画像を生成し、前記複数の撮像手段で撮影された複数の画像を合成して立体画像を生成し、外部からの選択に基づき前記パノラマ画像或いは前記立体画像を表示手段のワイド画面上に表示することを特徴とする。
【手続補正２８】
【補正対象書類名】明細書
【補正対象項目名】００３０
【補正方法】変更
【補正の内容】
【００３０】
上記目的を達成するため、請求項２４記載の発明は、前記画像表示方法を実行するプログラムを記憶したコンピュータにより読み出し可能な記憶媒体であることを特徴とする。
【手続補正２９】
【補正対象書類名】明細書
【補正対象項目名】００３１
【補正方法】削除
【補正の内容】
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】削除
【補正の内容】
【手続補正３２】
【補正対象書類名】明細書
【補正対象項目名】００３４
【補正方法】削除
【補正の内容】
【手続補正３３】
【補正対象書類名】明細書
【補正対象項目名】００３５
【補正方法】削除
【補正の内容】
【手続補正３４】
【補正対象書類名】明細書
【補正対象項目名】００３６
【補正方法】削除
【補正の内容】
【手続補正３５】
【補正対象書類名】明細書
【補正対象項目名】００３７
【補正方法】削除
【補正の内容】
【手続補正３６】
【補正対象書類名】明細書
【補正対象項目名】００３８
【補正方法】削除
【補正の内容】
【手続補正３７】
【補正対象書類名】明細書
【補正対象項目名】００３９
【補正方法】削除
【補正の内容】
【手続補正３８】
【補正対象書類名】明細書
【補正対象項目名】００４０
【補正方法】削除
【補正の内容】
【手続補正３９】
【補正対象書類名】明細書
【補正対象項目名】００４１
【補正方法】削除
【補正の内容】
【手続補正４０】
【補正対象書類名】明細書
【補正対象項目名】００４２
【補正方法】削除
【補正の内容】
【手続補正４１】
【補正対象書類名】明細書
【補正対象項目名】００４３
【補正方法】削除
【補正の内容】
【手続補正４２】
【補正対象書類名】明細書
【補正対象項目名】００４４
【補正方法】削除
【補正の内容】
【手続補正４３】
【補正対象書類名】明細書
【補正対象項目名】００４５
【補正方法】削除
【補正の内容】
【手続補正４４】
【補正対象書類名】明細書
【補正対象項目名】００４６
【補正方法】削除
【補正の内容】
【手続補正４５】
【補正対象書類名】明細書
【補正対象項目名】００４７
【補正方法】削除
【補正の内容】
【手続補正４６】
【補正対象書類名】明細書
【補正対象項目名】００４８
【補正方法】削除
【補正の内容】
【手続補正４７】
【補正対象書類名】明細書
【補正対象項目名】００４９
【補正方法】削除
【補正の内容】
【手続補正４８】
【補正対象書類名】明細書
【補正対象項目名】００５０
【補正方法】削除
【補正の内容】
【手続補正４９】
【補正対象書類名】明細書
【補正対象項目名】００５１
【補正方法】削除
【補正の内容】
【手続補正５０】
【補正対象書類名】明細書
【補正対象項目名】００５２
【補正方法】削除
【補正の内容】
【手続補正５１】
【補正対象書類名】明細書
【補正対象項目名】００５３
【補正方法】削除
【補正の内容】
【手続補正５２】
【補正対象書類名】明細書
【補正対象項目名】００５４
【補正方法】削除
【補正の内容】
【手続補正５３】
【補正対象書類名】明細書
【補正対象項目名】００５５
【補正方法】削除
【補正の内容】
【手続補正５４】
【補正対象書類名】明細書
【補正対象項目名】００５６
【補正方法】削除
【補正の内容】
【手続補正５５】
【補正対象書類名】明細書
【補正対象項目名】００５７
【補正方法】削除
【補正の内容】
【手続補正５６】
【補正対象書類名】明細書
【補正対象項目名】００５８
【補正方法】削除
【補正の内容】
【手続補正５７】
【補正対象書類名】明細書
【補正対象項目名】００５９
【補正方法】削除
【補正の内容】
【手続補正５８】
【補正対象書類名】明細書
【補正対象項目名】００６０
【補正方法】削除
【補正の内容】
【手続補正５９】
【補正対象書類名】明細書
【補正対象項目名】０１８１
【補正方法】変更
【補正の内容】
【０１８１】
また、本発明の画像表示方法、本発明の記憶媒体においても、上記と同様に、ワイド画面の表示手段においてパノラマ画像或いは立体画像を観察することが可能となり、立体感を確認しながら撮影することが可能となる効果を奏する。